【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
従業員の健康を、前記従業員が従業員ワークステーションにいる間に監視するためのシステムであって、前記システムは、
従業員ワークステーションであって、
従業員コンピュータと、
前記従業員ワークステーション全体に配置された複数のバイオメカニカルセンサであって、前記従業員のバイオメカニカル特性を感知し、前記従業員の前記バイオメカニカル特性を示すバイオメカニカル健康データを出力するように構成される、複数のバイオメカニカルセンサと、を含む、従業員ワークステーションと、
バイオメカニカル健康監視サーバであって、
前記従業員の前記バイオメカニカル特性を示すバイオメカニカル健康データを収集し、
前記収集されたバイオメカニカル健康データに少なくともある程度基づいて、前記従業員のバイオメカニカル健康特性、バイオメカニカル健康状態、およびバイオメカニカル健康の危険性のうちの１つ以上を含む、従業員のバイオメカニカル健康プロファイルを決定し、
前記従業員のバイオメカニカル健康プロファイルに少なくともある程度基づいて、前記従業員の健康計画を生成し、
前記従業員に表示するための前記従業員コンピュータに、前記従業員のバイオメカニカル健康プロファイルおよび前記健康計画を含む健康コンテンツを供給するように構成される、バイオメカニカル健康監視サーバと、を備える、システム。
【請求項２】
前記従業員ワークステーションに位置する椅子に位置するように構成された椅子パッドを更に備え、
前記複数のバイオメカニカルセンサが、前記従業員が前記椅子に座っている際に前記従業員の体温を感知するように構成された温度センサと、前記従業員が前記椅子に座っている際に前記従業員の位置を感知するように構成された位置センサとを備え、前記温度センサおよび前記位置センサが前記椅子パッドに配置されている、請求項１に記載のシステム。
【請求項３】
フロアに位置するように構成されたフロアマットを更に備え、
前記複数のバイオメカニカルセンサが、前記従業員の足が前記フロアマット上に位置する際に、前記従業員の体温を感知するように構成された温度センサと、前記従業員の位置を感知するように構成された位置センサとを備え、前記温度センサおよび前記位置センサが前記フロアマット上に配置されている、請求項１または２に記載のシステム。
【請求項４】
前記複数のバイオメカニカルセンサが、前記従業員の前記身体の位置および眼の動きを示す３次元画像を得るように適合された３次元位置センサを備える、請求項１〜３のいずれか１項に記載のシステム。
【請求項５】
前記収集された健康データに少なくとも部分的に基づいて前記従業員の健康プロファイルを決定することは、前記収集された健康データを使用して１つ以上の健康課題を予測することを含み、
前記健康コンテンツは、１つ以上の予測された健康課題に前記従業員が気づくように提供され、且つ実際の健康課題に発展する前に前記１つ以上の予測された健康課題に前記従業員を積極的に対応できるようにするための警告を含む、請求項１〜４のいずれか１項に記載のシステム。
【請求項６】
前記収集された健康データを使用して１つ以上の健康課題を予測することは、（ａ）前記収集された健康データに基づいて決定された前記従業員の前記健康プロファイル、および（ｂ）前記従業員の過去の健康特性に基づいて予測的分析を実施することを含む、請求項５に記載のシステム。
【請求項７】
前記バイオメカニカル健康監視サーバは、
前記バイオメカニカル健康データに基づいて警告状態が存在するのか否かを決定することと、
警告状態が存在すると決定することに応答して、対応人員に、対応した警告を送ることを無効にすること、または、警告が送信されることを可能とすることを、前記従業員に指示することと、
前記警告を送ることを無効とする選択を受けることに対応して、前記対応人員に警告を送らないことと、および、
前記警告を送ることを無効とする選択を受けないことに対応して、前記対応人員に警告を送らないことと、
を行うように更に構成されている、請求項１〜６のいずれか１項に記載のシステム。
【請求項８】
前記バイオメカニカル健康監視サーバが、前記バイオメカニカル健康データに基づいて警告状態が存在するのか否かを決定するように更に構成され、
前記バイオメカニカル健康データに基づいて警告状態が存在するのか否かを決定することは、
バイオメカニカル健康プロファイルが異常な健康特性または健康状態を含むのか否かを決定することと、
バイオメカニカル健康プロファイルが異常な健康特性または健康状態を含むと決定することに応答して、全体として、緊急事態の発生と一致するのか確認するために、バイオメカニカル健康プロファイルの他の特性または健康プロファイルの状態と比較することと、
健康特性または健康状態が緊急事態の発生と一致するとの決定に応答して、警告状態が存在すると決定することと、および、
健康特性または健康状態が緊急事態の発生と一致しないとの決定に応答して、警告状態が存在しないと決定することと、を含み、
警告状態が存在するとの決定に応答して、対応人員に警告を提供するように更に構成されている、請求項１〜６のいずれか１項に記載のシステム。
【請求項９】
前記複数のバイオメカニカルセンサは、１つ以上の温度変換器、１つ以上の力変換器、３次元映像データをキャプチャするように適合された１つ以上のカメラのうちの少なくとも１つを含む一連のバイオメカニカルセンサを備え、
前記一連のバイオメカニカルセンサは、前記従業員の身体の位置を示す１つ以上の前記温度変換機によって出力される温度データと、前記従業員の身体の位置を示す１つ以上の前記力変換器によって出力される力データと、前記従業員の身体の位置および眼の動きを示す３次元画像を含む１つ以上カメラによって出力される画像データと、を含むバイオメカニカルセンサデータを出力するように構成されている、請求項１〜８のいずれか１項に記載のシステム。
【請求項１０】
従業員が従業員ワークステーションに位置する間に、前記従業員の健康を監視するための、コンピュータにより実行される方法であって、
前記従業員ワークステーション全体にわたって配置された複数のバイオメカニカルセンサから前記従業員のバイオメカニカル特性を示すバイオメカニカル健康データを収集することであって、前記複数のバイオメカニカルセンサが前記従業員のバイオメカニカル特性を感知し、前記従業員のバイオメカニカル特性を示す対応するバイオメカニカル健康データを出力するように構成された、バイオメカニカル健康データを収集することと、
収集された前記バイオメカニカル健康データに少なくとも部分的に基づいて従業員のバイオメカニカル健康プロファイルを決定することであって、前記従業員のバイオメカニカル健康プロファイルは、前記従業員のためのバイオメカニカル健康特性、バイオメカニカル健康状態、およびバイオメカニカル健康リスクのうちの１以上を含む、従業員のバイオメカニカル健康プロファイルを決定することと、
前記バイオメカニカル健康プロファイルに少なくとも部分的に基づいて前記従業員のための健康計画を生成することと、
前記従業員に提示するために前記ワークステーション内の従業員のコンピュータに対して、前記従業員のバイオメカニカル健康プロファイルおよび前記従業員のための健康計画を含む健康コンテンツを供給すことと、を含む方法。
【請求項１１】
前記複数のバイオメカニカルセンサは、従業員ワークステーションの椅子に位置するように構成された椅子パッドに配置されている温度センサと位置センサとを含み、前記温度センサは前記従業員が前記椅子に座っている際に前記従業員の体温を感知するように構成され、前記位置センサは前記従業員が前記椅子に座っている際に前記従業員の身体の位置を感知するように構成された、請求項１０に記載の方法。
【請求項１２】
前記複数のバイオメカニカルセンサは、床に位置するように構成されたフロアマットに配置されている温度センサと位置センサとを含み、前記従業員の足が前記フロアマット上に位置する際に、前記温度センサは前記従業員の体温を感知するように構成され、前記位置センサは前記従業員の身体の位置を感知するように構成された、請求項１０または１１に記載の方法。
【請求項１３】
前記収集された健康データに基づいて前記従業員の健康プロファイルを決定することは、前記収集された健康データを使用して１つ以上の健康課題を予測することを含み、
前記健康コンテンツは、１つ以上の予測された健康課題に前記従業員が気づくように提供され、且つ実際の健康課題に発展する前に前記１つ以上の健康課題に前記従業員を積極的に対応できるようにするための警告を含む、請求項１０〜１２のいずれか１項に記載の方法。
【請求項１４】
前記収集された健康データを使用して１つ以上の健康課題を予測することは、（ａ）前記収集された健康データに基づいて決定された前記従業員の前記健康プロファイル、および（ｂ）前記従業員の過去の健康特性に基づいて予測的分析を実施することを含む、請求項１３に記載の方法。
【請求項１５】
前記バイオメカニカル健康データに基づいて警告状態が存在するのか否かを決定することと、
警告状態が存在するとの決定に応答して、対応人員に、対応した警告を送ることを無効にすること、または、警告が送信されることを可能とすることを、前記従業員に指示することと、
前記警告を送ることを無効とする選択を受けることに対応して、前記対応人員に警告を送らないことと、
前記警告を送ることを無効とする選択を受けないことに対応して、前記対応人員に警告を送らないことと、
を更に含む、請求項１０〜１４のいずれか１項に記載の方法。
【請求項１６】
前記バイオメカニカル健康データに基づいて警告状態が存在するのか否かを決定することを更に含み、
前記バイオメカニカル健康データに基づいて警告状態が存在するのか否かを決定することは、
バイオメカニカル健康プロファイルが異常な健康特性または健康状態を含むのか否かを決定することと、
バイオメカニカル健康プロファイルが異常な健康特性または健康状態を含むとの決定に応答して、全体として、緊急事態の発生と一致するのか確認するために、バイオメカニカル健康プロファイルの他の特性または健康プロファイルの状態と比較することと、
健康特性または健康状態が緊急事態の発生と一致するとの決定に応答して、警告状態が存在すると決定することと、
健康特性または健康状態が緊急事態の発生と一致しないとの決定に応答して、警告状態が存在しないと決定することと、を含み、
警告状態が存在するとの決定に応答して、対応人員に警告を提供することを更に含む、請求項１０〜１４のいずれか１項に記載の方法。
【請求項１７】
前記複数のバイオメカニカルセンサは、１つ以上の温度変換器、１つ以上の力変換器、３次元映像データをキャプチャするように適合された１つ以上のカメラのうちの少なくとも１つを含む一連のバイオメカニカルセンサを備え、
前記一連のバイオメカニカルセンサは、前記従業員の身体の位置を示す１つ以上の前記温度変換機によって出力される温度データと、前記従業員の身体の位置を示す１つ以上の前記力変換器によって出力される力データと、前記従業員の身体の位置および眼の動きを示す３次元画像を含む１つ以上の前記カメラによって出力される画像データと、を含むバイオメカニカルセンサデータを出力するように構成された、請求項１０〜１６のいずれか１項に記載の方法。
【請求項１８】
前記従業員がワークステーションで作業しているときに、従業員の健康を監視するのに使用するためのプログラム命令を含む非一過性コンピュータ可読記憶媒体であって、前記ワークステーションは、フロアの上に並行に設置されるワークステーション表面、前記ワークステーション表面の上部に位置付けられるコンピュータワークステーション、および前記ワークステーション表面に隣接する前記フロアの上に設置された椅子を含み、前記椅子が、座部および背部を有し、前記ワークステーションが、その中に画定される試験ゾーンを有し、前記試験ゾーンが、前記コンピュータワークステーションと、前記コンピュータワークステーションの前の前記ワークステーション表面と、前記椅子が前記コンピュータワークステーションの前の前記ワークステーション表面に隣接して位置付けられる場合には前記椅子と、前記コンピュータワークステーションの前の前記ワークステーション表面の下の前記フロアと、を含む領域であり、前記コンピュータプログラム命令は、
前記従業員の健康のバイオメカニカル特性を検出するために前記ワークステーションに設置される１組のバイオメカニカル健康センサを作動させるステップであって、前記１組のバイオメカニカル健康センサは、前記従業員が前記従業員ワークステーションにいる間に、前記従業員との複数の接触点を介して健康データを収集するように構成され、第１の接触点は、前記試験ゾーン内の前記フロアの上に位置付けられるフロアマットを含み、第２の接触点は、前記椅子の前記座部および前記背部のうちの１つ以上を含み、第３の接触点は、前記従業員の前記眼および頭部を含み、前記１組のバイオメカニカル健康センサは、通信ネットワークと通信状態にあり、１つ以上の温度変換器、１つ以上の力変換器、および３次元映像データを得るように適合された１つ以上のカメラを備え、前記従業員の身体の位置を示す前記温度変換器のうちの１つ以上によって出力される温度データ、前記従業員の身体の位置を示す前記力変換器のうちの１つ以上によって出力される力データ、ならびに前記従業員の前記身体の位置および眼の動きを示す３次元画像を含む前記カメラのうちの１つ以上によって出力される画像データを備えたバイオメカニカルセンサデータを出力するように構成され、
前記フロアマットが、前記１つ以上の温度変換器および前記１つ以上の力変換器のうちの少なくとも１つを備え、
前記椅子が、前記椅子の前記座部および前記背部のうちの少なくとも１つに設置される前記１つ以上の温度変換器および前記１つ以上の力変換器のうちの少なくとも１つを備える、ステップと、
前記通信ネットワークを介して、前記１組のバイオメカニカルセンサによって出力される前記バイオメカニカルセンサデータを収集するステップと、
前記バイオメカニカルセンサデータを使用して、前記従業員の更新された健康プロファイルを決定するステップと、
前記コンピュータワークステーションを介して、前記従業員に表示するために前記従業員の前記更新された健康プロファイルを供給するステップと、
前記従業員の前記更新された健康プロファイルを反映するように、前記データベースに記憶された前記健康情報を更新するステップと、を行わせるように、前記プロセッサによって実行可能であり、
前記１組のバイオメカニカルセンサによって出力された前記バイオメカニカルセンサデータの収集は、
前記１組のバイオメカニカルセンサを作動させて前記従業員の健康試験を行うステップと、
前記１組のバイオメカニカルセンサを監視して前記バイオメカニカルセンサデータセンサデータを収集するステップと、を含み、
収集された前記バイオメカニカルセンサデータを使用した、前記従業員の更新された健康プロファイルの決定は、
前記収集されたバイオメカニカルセンサデータを使用して、前記従業員が前記椅子に着席しているときに、前記頭部、胴体、腕、および足のうちの１つ以上の前記適正な配置からの前記従業員のずれを含む姿勢分析、ならびに前記眼の焦点、まばたきの速度、および瞳孔拡張のうちの１つ以上に基づいて眼精疲労レベルの表示を含む眼精疲労分析を決定するステップと、
前記従業員の決定された前記姿勢分析および前記眼精疲労分析のうちの１つ以上に基づいて、前記従業員の健康計画を決定するステップと、を含み、
前記更新された従業員健康プロファイルが、前記姿勢分析および前記眼精疲労分析のうちの１つ以上、ならびに前記従業員の決定された前記健康計画を含む、非一過性コンピュータ可読記憶媒体。
【請求項１９】
コンピュータのプロセッサに請求項１０〜１７のいずれか１項に記載の方法を実行させる命令であって、前記プロセッサによって実行可能な命令を含む非一過性コンピュータ可読記憶媒体。